(57)【要約】【課題】主に各種電子機器の遠隔操作に用いられるリモコン送信機に関し、組立てが容易で、安価なものを提供することを目的とする。【解決手段】電極１７と１８の接続部１７Ｂと１８Ｂを略コの字状に形成すると共に、これを配線基板１３の長孔１３Ａと１３Ｂに挿入接続することによって、略コの字状に折曲された接続部１７Ｂと１８Ｂが、複数の箇所で配線基板１３の長孔１３Ａと１３Ｂに当接するため、配線基板１３に電極７や８を取付ける際、電極７や８の傾きや位置ズレが生じにくくなり、組立てが容易で、安価なリモコン送信機を得ることができる。【選択図】図１
2006041772.tif 000002
【特許請求の範囲】
【請求項１】
所定の操作に応じてリモコン信号を送信する制御回路が形成された配線基板と、この配線基板に載置された円盤状の電池と、一端の当接部が上記電池に弾接し、他端の接続部が上記配線基板に接続された電極からなり、上記電極の接続部を略コの字状に形成すると共に、これを上記配線基板の長孔に挿入接続したリモコン送信機。
【請求項２】
電極の接続部を配線基板の長孔に弾接させた請求項１記載のリモコン送信機。
【発明の詳細な説明】
【技術分野】
【０００１】
本発明は、主に映像や音響機器等の各種電子機器の遠隔操作に用いられるリモコン送信機に関するものである。
【背景技術】
【０００２】
近年、テレビやビデオ、エアコン等の各種電子機器の小型化・軽量化が進むなか、これらを遠隔操作するリモコン送信機においても、円盤状で釦型の電池を用いて薄型化・軽量化を図った、所謂カード型のものが多く使用されている。
【０００３】
このような従来のリモコン送信機について、図３及び図４を用いて説明する。
【０００４】
図３は従来のリモコン送信機の断面図、図４は同分解斜視図であり、同図において、１は略箱状で上面開口の絶縁樹脂製のケース、２はこのケース１内に収納されたゴム等の操作体で、操作体２下面には略ドーム状で下方へ突出した複数の操作部２Ａが設けられ、この操作部２Ａがケース１下面から上下動可能に突出している。
【０００５】
また、３は上下面に複数の配線パターン（図示せず）が形成された配線基板で、この配線基板３下面には複数の固定接点（図示せず）が設けられ、この固定接点と操作部２Ａ上面に設けられた可動接点２Ｂが、所定の間隙を空けて対向して、複数のスイッチ接点が形成されている。
【０００６】
さらに、配線基板３の上面には、マイコンや発光ダイオード等の電子部品によって制御回路４が形成されると共に、絶縁樹脂製のホルダー５に保持された円盤状で釦型の電池６が載置されている。
【０００７】
そして、７は導電金属線を略コイル状に巻回した電極、８は同じく略クリップ状に折曲した電極で、各々やや撓んだ状態で、一端の当接部７Ａと８Ａが電池６の側面と底面に弾接すると共に、他端の折曲された接続部７Ｂと８Ｂが、配線基板３の丸孔３Ａと３Ｂに挿入されている。
【０００８】
なお、配線基板３の丸孔３Ａと３Ｂは電極７や８の線径よりもやや大きく形成され、この丸孔３Ａと３Ｂに接続部７Ｂと８Ｂを挿入した後、半田付け（図示せず）等によって電極７と８が配線基板３に固定されると共に、複数の配線パターンに電気的に接続され、電極７，８及び複数の配線パターンを介して、電池６と制御回路４等が電気的に接続されている。
【０００９】
そして、これら操作体２や配線基板３、ホルダー５や電池６を収納したケース１の上面を、絶縁樹脂製のカバー９が覆って、リモコン送信機が構成されている。
【００１０】
以上の構成において、このようなリモコン送信機を電子機器に向け、例えば、電源用や音量切換用等の所定の操作部２Ａを押圧操作すると、これらに対応した赤外線のリモコン信号が制御回路４から電子機器へ送信され、これによって、例えば、テレビやオーディオ、エアコン等の電源の入／切や音量の増減等が、遠隔操作によって行われるように構成されているものであった。
【００１１】
なお、この出願の発明に関連する先行技術文献情報としては、例えば、特許文献１が知られている。
【特許文献１】特開平１０−１５４４９６号公報
【発明の開示】
【発明が解決しようとする課題】
【００１２】
しかしながら、上記従来のリモコン送信機においては、配線基板３に電極７と８を取付ける際、電極７や８の線径よりもやや大きな丸孔３Ａと３Ｂに接続部７Ｂと８Ｂを挿入した後、半田付け等によって固定接続を行っているため、電極７と８の傾きや位置ズレが生じ易く、保持治具や工具等を用いて組立てを行わなければならず、作業がしづらく時間を要するという課題があった。
【００１３】
本発明は、このような従来の課題を解決するものであり、電極の組立てが容易で、安価なリモコン送信機を提供することを目的とする。
【課題を解決するための手段】
【００１４】
上記目的を達成するために本発明は、以下の構成を有するものである。
【００１５】
本発明の請求項１に記載の発明は、電極の接続部を略コの字状に形成すると共に、これを配線基板の長孔に挿入接続してリモコン送信機を構成したものであり、略コの字状に折曲された接続部が、複数の箇所で配線基板の長孔に当接するため、配線基板に電極を取付ける際、電極の傾きや位置ズレが生じにくくなり、組立てが容易で、安価なリモコン送信機を得ることができるという作用を有する。
【００１６】
請求項２に記載の発明は、請求項１記載の発明において、電極の接続部を配線基板の長孔に弾接させたものであり、電極の長孔への保持がより確実なものとなり、さらに組立てを容易に行うことができるという作用を有する。
【発明の効果】
【００１７】
本発明によるリモコン送信機は、組立てが容易で、安価なものが得られる。
【発明を実施するための最良の形態】
【００１８】
以下、本発明の実施の形態について、図１及び図２を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるリモコン送信機の断面図、図２は同分解斜視図であり、同図において、１は略箱状で上面開口のポリスチレンやＡＢＳ等の絶縁樹脂製のケース、２はこのケース１内に収納されたシリコンゴムやエラストマー等の操作体で、操作体２下面には略ドーム状で下方へ突出した複数の操作部２Ａが設けられ、この操作部２Ａがケース１下面から上下動可能に突出している。
【００２１】
また、１３は紙フェノールやガラス入りエポキシ等の、上下面に複数の配線パターン（図示せず）が形成された配線基板で、この配線基板１３下面には複数の固定接点（図示せず）が設けられ、この固定接点と操作部２Ａ上面に設けられた可動接点２Ｂが、所定の間隙を空けて対向して、複数のスイッチ接点が形成されている。
【００２２】
さらに、配線基板１３の上面には、マイコンや発光ダイオード等の電子部品によって、赤外線等のリモコン信号を送信する制御回路４が形成されると共に、ポリオキシメチレンやＡＢＳ等の絶縁樹脂製のホルダー５に保持された、円盤状で釦型の電池６が載置されている。
【００２３】
そして、１７はニッケルや錫等がメッキされた鋼線や銅合金等の導電金属線を略コイル状に巻回した電極、１８は同じく略クリップ状に折曲した電極で、各々やや撓んだ状態で、一端の当接部１７Ａと１８Ａが電池６の側面と底面に弾接すると共に、他端の略コの字状に折曲された接続部１７Ｂと１８Ｂが、配線基板１３の長孔１３Ａと１３Ｂに挿入されている。
【００２４】
なお、配線基板１３の長孔１３Ａと１３Ｂは、電極１７や１８の線径よりもやや大きな幅に形成されているが、これに挿入された接続部１７Ｂと１８Ｂは略コの字状に折曲された形状となっているため、長孔１３Ａと１３Ｂの左右端で複数の箇所に当接して挿入されている。
【００２５】
さらに、接続部１７Ｂと１８Ｂの左右方向の寸法を長孔１３Ａと１３Ｂよりもやや大きなものとしたり、前後方向にやや広げて形成することによって、左右または前後方向に接続部１７Ｂと１８Ｂが撓み、長孔１３Ａと１３Ｂの左右端または前後方向の面に弾接し、長孔１３Ａと１３Ｂに対して傾きや位置ズレがないようにして、接続部１７Ｂと１８Ｂは挿入されている。
【００２６】
そして、このように傾きや位置ズレがないように、長孔１３Ａと１３Ｂに接続部１７Ｂと１８Ｂを挿入した後、半田付け（図示せず）等によって電極１７と１８が配線基板１３に固定されると共に、複数の配線パターンに電気的に接続され、電極１７，１８及び複数の配線パターンを介して、電池６と制御回路４等が電気的に接続されている。
【００２７】
さらに、これら操作体２や配線基板１３、ホルダー５や電池６を収納したケース１の上面を、絶縁樹脂製のカバー９が覆って、リモコン送信機が構成されている。
【００２８】
以上の構成において、このようなリモコン送信機を電子機器に向け、例えば、電源用や音量切換用等の所定の操作部２Ａを押圧操作すると、これらに対応した赤外線のリモコン信号が制御回路４から電子機器へ送信され、これによって、例えば、テレビやオーディオ、エアコン等の電源の入／切や音量の増減等が、遠隔操作によって行われるように構成されている。
【００２９】
このように本実施の形態によれば、電極１７と１８の接続部１７Ｂと１８Ｂを略コの字状に形成すると共に、これを配線基板１３の長孔１３Ａと１３Ｂに挿入接続することによって、略コの字状に折曲された接続部１７Ｂと１８Ｂが、複数の箇所で配線基板１３の長孔１３Ａと１３Ｂに当接するため、配線基板１３に電極７や８を取付ける際、電極７や８の傾きや位置ズレが生じにくくなり、組立てが容易で、安価なリモコン送信機を得ることができるものである。
【００３０】
さらに、電極７や８の接続部１７Ｂや１８Ｂを、配線基板１３の長孔１３Ａと１３Ｂに弾接させることによって、電極の長孔への保持がより確実なものとなり、さらに組立てを容易に行うことができる。
【産業上の利用可能性】
【００３１】
本発明によるリモコン送信機は、組立てが容易で、安価なものが得られ、主に各種電子機器の遠隔操作用として有用である。
【図面の簡単な説明】
【００３２】
【図１】本発明の一実施の形態によるリモコン送信機の断面図
【図２】同分解斜視図
【図３】従来のリモコン送信機の断面図
【図４】同分解斜視図
【符号の説明】
【００３３】
１  ケース
２  操作体
２Ａ  操作部
２Ｂ  可動接点
４  制御回路
５  ホルダー
６  電池
９  カバー
１３  配線基板
１３Ａ，１３Ｂ  長孔
１７，１８  電極
１７Ａ，１８Ａ  当接部
１７Ｂ，１８Ｂ  接続部
【図１】
2006041772.tif 000003
【図２】
2006041772.tif 000004
【図３】
2006041772.tif 000005
【図４】
2006041772.tif 000006